【手続補正書】
【提出日】平成18年3月10日(2006.3.10)
【手続補正１】
【補正対象書類名】明細書
【補正対象項目名】特許請求の範囲
【補正方法】変更
【補正の内容】
【特許請求の範囲】
【請求項１】
インターネットで公開する商品又はサービスを提供するホームページにおいて、これを少なくとも２ページ以上の複数ページ構成にし、これをインターネットに接続されたＷＥＢサーバー（以下、ＷＥＢサーバーという）から、インターネットを閲覧している不特定多数の閲覧者又は当該ホームページ上で提供する商品又はサービスの購入見込客（以下、インターネット顧客という）に対し配信し、任意のページを任意の順に又はランダムに選択し任意の一定時間又はランダムな設定時間、繰り返し表示（以下、単に繰り返し表示という）する手順を少なくとも一つ以上有する繰り返し表示機能付ホームページのプログラム制作を含む事を特徴とするビジネスの方法。
【請求項２】
請求項１で規定する繰り返し表示機能付ホームページにおいて、その所有者以外の第３者が自由に商品又はサービスの提供を含む任意の内容を自由に作成し一定期間これを表示し、更にその期間内はこれを編集又は変更又は削除できる第３者掲載権設定部分を少なくとも１ページ以上追加制作し、この第３者掲載権設定部分を含むホームページを、ＷＥＢサーバーから、インターネット顧客に対し配信し、繰り返し表示する手順を少なくとも一つ以上有する繰り返し表示機能付ホームページのプログラム制作を含む事を特徴とするビジネスの方法。
【請求項３】
請求項１又は請求項２の少なくとも一つ以上において規定する繰り返し表示機能付ホームページの表示サイクル中最後尾において、少なくとも１回以上、アメリカ式キーノゲーム（ＫＥＮＯ）又は数字合わせドイツ式ロタミントゲーム又は数字合わせ日本式ロトゲーム又は絵合わせ式スロットマシンゲーム又は類似するゲームのうち少なくとも一つ以上を利用した福引抽選用ページ又は類似するページ（以下、共用部分という）を表示できるよう追加設定し、この共用部分を含むホームページを、ＷＥＢサーバーから、インターネット顧客に対し配信し、繰り返し表示する手順を少なくとも一つ以上有する繰り返し表示機能付ホームページのプログラムの制作を含む事を特徴とするビジネスの方法。
【請求項４】
請求項１又は請求項２又は請求項３の少なくとも一つ以上において、インターネット配信される繰り返し表示機能付ホームページに関し、インターネット接続環境下にないインターネット顧客以外の顧客（以下、地上の顧客という）に対しても、インターネット顧客の閲覧に供すると同様にこれを繰り返し表示できるよう、インターネットを閲覧できるブラウザーソフトを搭載したブラウザー専用機器又はブラウザー専用パソコン又はブラウザー専用ＰＤＡ又はブラウザー専用ケータイ電話機、又は廃棄処分される中古ブラウザー専用機器又は廃棄処分される中古ブラウザー専用パソコン又は廃棄処分される中古ブラウザー専用ＰＤＡ又は廃棄処分される中古ブラウザー専用ケータイ電話機、（以下、ブラウザー専用パソコン装置という）のいずれかを少なくとも１台以上、被組み込み設備に組み込んだ装置（以下、ネットイーゼルという）を制作する手順を有する事、又はこのネットイーゼルを固定又は半固定又は移動環境で固体又は設備に組み込み設置し、地上の顧客の閲覧に供する手順を含む事を特徴とするビジネスの方法。
【請求項５】
請求項４において規定するブラウザー専用パソコン装置の入力装置として、キーボード又はマウス又はタッチパネル又はリモートコントロールキーボード又はリモートコントロールマウス又は音声入力システム又はペン入力装置又はソフトウエアキーボード又はこれに類似する入力装置のうち少なくとも一つ以上を組み込みブラウザー専用パソコン装置を制作する手順を含む事を特徴とするビジネスの方法。
【請求項６】
請求項４において規定するブラウザー専用パソコン装置の筐体部分は、拡声器又は画面拡大レンズ又は拡大フィルム又は防護フィルム又は防水カバー又は防滴カバー又は防護カバー又は類似するカバーの少なくとも一つ以上と、ケース又はスタンド台又は類似するケーススタンドのうち少なくとも一つ以上と、ＡＣ電源又はバッテリー又は燃料電池又は太陽光充電パネル又は風力発電パネル又は類似する電源供給手段のうち少なくとも一つ以上を組み込み制作する手順を含む事を特徴とするビジネスの方法の方法。
【請求項７】
請求項４、又は請求項５、請求項６の少なくとも一つ以上において規定するブラウザー専用パソコン装置を少なくとも２台以上或いはブラウザー専用パソコン装置を少なくとも１台以上とこれに接続するディスプレイ機器又は廃棄処分される中古ディスプレイ機器を少なくとも２台以上を、被組込設備に組み込み、無線又は有線で接続した装置（以下、ネットイーゼル装置という）を制作する手順と、又はこのネットイーゼル装置を固定又は半固定又は移動環境、で固体又は設備に組み込み設置し、地上の顧客の閲覧に供する手順とを含む事を特徴とするビジネスの方法。
【請求項８】
請求項７において規定するネットイーゼル装置において、繰り返し表示するホームページのアドレス、又はホームページを特定できるデーター（以下ＵＲＬ・アドレスという）の送受信機能付送受信ユニットをブラウザー専用パソコン装置に組み込むか或いは、同様な機能を持つ新ケータイ電話機又は改造ケータイ電話機又は廃棄処分される中古ケータイ電話機（以下、ケータイ電話装置という）をネットイーゼル装置と併せ設置した装置（以下、ＵＲＬ送受機能付ネットイーゼル装置という）を制作する手順と、このＵＲＬ送受付ネットイーゼル装置設置場所付近にいる地上の顧客に対し、ＵＲＬ・アドレスを送信し、同地上の顧客がこれを取得しホームページに記載する商品又はサービスをより購入しやすくなるよう営業を促進する手順とを含む事を特徴とするビジネスの方法。
【請求項９】
請求項８において規定するＵＲＬ送受機能付ネットイーゼル装置において、付帯設置されたケータイ電話装置を駆使し、その設置場所付近の環境データーをＷＥＢサーバーに送信し、ＷＥＢサーバー内でこれを分析し、その設置場所に最適な音声データー又は香りデーター又は類似する環境データー（以下環境データーという）をＵＲＬ送受機能付ネットイーゼル装置に配信し、ホームページを繰り返し表示すると同時に表示サイクル中少なくとも１回以上その環境データーと共に提供し、地上の顧客がこれにより商品又はサービスをより購入しやすくなるよう営業を促進する手順を含む事を特徴とするビジネスの方法。
【請求項１０】
請求項８において規定するＵＲＬ送受機能付ネットイーゼル装置において、繰り返し表示するホームページを売り上げ伝票として印刷できるよう設定し、これを印刷するプリンターを併せ設置し、更にホームページ上で提供する商品又は不要品又は類似する商品（以下、フリマ品という）も併せ展示できる展示コーナー付きユニット（以下、フリマ品展示ユニットという）を制作する手順と、これを利用しフリマ品を省力化委託販売をすすめ、ゴミを減らし２酸化炭素を削減し、地球温暖化防止（京都議定書）を推進する手順とを含む事を特徴とするビジネスの方法。
【請求項１１】
請求項４又は請求項７の一つ以上において規定する被組み込み設備は、飲食店のテーブル又は飲食店のカウンタートップ又はお皿又は類似する什器・備品類又は、花瓶又は額縁又は鏡又は時計又は類似する装飾品類又は、置き看板又は、道路沿いやビル屋上の立て看板又は、駅、学校、マンション、公民館等に設置する掲示板又は類似する掲示板類又は、店頭又は店内に設置するポップ看板類又は、リーフレット又はメニュー又は類似する宣伝用冊子類を掲示する掲示台類又は、店頭又は店内に設置するイーゼル型手書き黒板又は類似する黒板型看板類又は、袖看板や突き出し看板類又は類似する看板設備類又は、上着やコート又はズボン又は類似する衣料品類又は、ショルダーバッグ又はスーツケース又はアタッシュケース又は類似する鞄類又は、ブローチ又はペンダント又は指輪又は類似するアクセサリー類のいずれかを含む個体類又は、自家用又は営業用乗用車（以下、乗用車という）又は自家用又は営業用貨物車又はワゴン車（以下、貨物車という）又は自家用又は営業用バス（以下、バスという）又はキャンピングカー又はオープンカー又は類似する自動車類（以下、自動車という）又は身体障害者用自動車又は車椅子又は類似する身障者用車両類（以下、身障者用車両という）又はカート又は類似する手押しカート類（以下、カートという）又は船舶又は飛行物体のいずれかに類似する移動体（以下、移動体という）の駆体側面又は駆体側面ドア又は駆体後部又は駆体リヤーウインドー又は駆体後部トランク又は後部バンパー又は天井部又は移動体室内座席ヘッドレスト又は運転席背後仕切板又はヘッドレスト又は客席内に設置した架台のいずれかの設備を含む事を特徴とするビジネスの方法。